(57)【要約】      （修正有）【課題】糸状のゴミが絡みついても多数のブラシ毛間に入り込むことを防止すると共に、絡みついた糸状のゴミを容易に除去することができる回転清掃体を提供すること。【解決手段】周面に長手方向に沿って延びる挿入溝３１Ｂ、３１Ｄが形成された回転軸部３１と、挿入溝３１Ｂ、３１Ｄ内に挿入保持される帯状の基材４１と、この基材４１に固定されて回転軸部３１の径方向に突出する多数のブラシ毛４２とを備えた回転清掃体３０であって、多数のブラシ毛４１には、先端部近傍を長手方向に沿って互いに連結する連結手段（糸材）４３が設けられている。【選択図】図４
2011235131.tif 000002
【特許請求の範囲】
【請求項１】
周面に長手方向に沿って延びる挿入溝が形成された回転軸部と、
前記挿入溝内に挿入保持される帯状の基材と、
この基材に固定されて前記回転軸部の径方向に突出する多数のブラシ毛と、
前記多数のブラシ毛が基端部から撓むよう前記多数のブラシ毛の先端部近傍を長手方向に沿って互いに連結して前記多数のブラシ毛の基端部のしなやかさを保つ連結手段と、を備えることを特徴とする回転清掃体。
【請求項２】
前記連結手段は、前記多数のブラシ毛に一体的に取り付けられた軟質樹脂材であることを特徴とする請求項１に記載の回転清掃体。
【請求項３】
請求項１または２に記載の回転清掃体を備えたことを特徴とする電気掃除機。
【発明の詳細な説明】
【技術分野】
【０００１】
本発明は、多数のブラシ毛が固定された基材が回転軸部に保持されている回転清掃体及びこれを備えた電気掃除機に関するものである。
【背景技術】
【０００２】
従来から、図７（ａ）示すように、長手方向に沿って形成された挿入溝２ａを有する回転軸部２と、この挿入溝２ａ内に保持された清掃部材Ｓとを備えた電気掃除機の回転清掃体１が知られている（例えば、特許文献１参照）。
【０００３】
ここで、清掃部材Ｓは、図７（ｂ）に示すように、挿入溝２ａに挿入された保持部３ａと、この保持部３ａから回転軸部２の径方向に延びたリブ部３ｂとを有するブレード部材３と、挿入溝２ａに挿入された基材４ａと、この基材４ａに植毛された多数のブラシ毛４ｂとを有するブラシ部材４とを備えている。
【０００４】
ブレード部材３の保持部３ａ及びリブ部３ｂは、共に軟質樹脂によって一体形成されており、この保持部３ａ及びリブ部３ｂは互いにほぼ直交する帯形状を呈している。
【０００５】
また、ブラシ部材４の基材４ａは帯状に延びる軟質樹脂材によって形成され、多数のブラシ毛４ｂは、それぞれ基端部が基材４ａに固定されている。すなわち、各ブラシ毛４ｂは、基端部から先端部に至るまで互いに分離している。
【先行技術文献】
【特許文献】
【０００６】
【特許文献１】特開２００６−２６２２２号公報
【発明の概要】
【発明が解決しようとする課題】
【０００７】
ところで、上述の回転清掃体１では糸状のゴミが絡みついた際に、ブラシ毛４ａ同士の隙間にこのゴミが入り込んでしまい、回転軸部２に糸状のゴミが巻きついて容易に除去することができなかった。
【０００８】
また、帯状のブレード部材３では糸状のゴミが絡みついても、このゴミが回転軸部２に巻きついてしまうことはないが、清掃部材Ｓを全てブレード部材３で構成した場合では、フローリングなどの被清掃面の清掃を十分に行うことが困難であった。
【０００９】
そこで、この発明は、糸状のゴミが絡みついても多数のブラシ毛間に入り込むことを防止すると共に、絡みついた糸状のゴミを容易に除去することができる回転清掃体及びこれを備えた電気掃除機を提供することを目的としている。
【課題を解決するための手段】
【００１０】
上記課題を解決するために、この発明は、周面に長手方向に沿って延びる挿入溝が形成された回転軸部と、前記挿入溝内に挿入保持される帯状の基材と、この基材に固定されて前記回転軸部の径方向に突出する多数のブラシ毛と、前記多数のブラシ毛が基端部から撓むよう前記多数のブラシ毛の先端部近傍を長手方向に沿って互いに連結して前記多数のブラシ毛の基端部のしなやかさを保つ連結手段と、を備えることを特徴とする。
【発明の効果】
【００１１】
本発明の電気掃除機によれば、糸状のゴミが絡みついても、連結手段によってブラシ毛の根元近傍にまで糸状のゴミが入り込むことを防止できる。そのため、直接回転軸部に糸状のゴミが巻きつくことを防止できる。
【００１２】
さらに、連結手段に糸状のゴミが引っかかり、多数のブラシ毛間に糸状のゴミが入り込まず、この糸状のゴミを容易に除去することが可能となる。
【図面の簡単な説明】
【００１３】
【図１】この発明に係る電気掃除機の外観を示した斜視図である。
【図２】図１に示した電気掃除機の吸込口体の外観を示した斜視図である。
【図３】図２におけるＡ−Ａ断面図である。
【図４】（ａ）はこの発明に係る回転清掃体の外観を示した斜視図であり、（ｂ）は図４（ａ）におけるＢ−Ｂ断面図である。
【図５】（ａ）はブラシ部の外観を示す斜視図であり、（ｂ）は図５（ａ）における矢印Ｃ方向から見たときの側面図である。
【図６】ブラシ部の他の例の外観を示す斜視図である。
【図７】（ａ）は従来の回転清掃体の外観を示した斜視図であり、（ｂ）は図７（ａ）におけるＤ−Ｄ断面図である。
【発明を実施するための形態】
【００１４】
以下、この発明に係る回転清掃体及びこれを備えた電気掃除機を実施するための形態を図面に基づいて説明する。
【００１５】
図１に示す電気掃除機１０は、掃除機本体１１と、この掃除機本体１１の前端部に設けたホース接続口１１ａに一端が着脱可能に接続された集塵ホース１２と、この集塵ホース１２の他端に設けた手元操作管１３に着脱自在に接続された延長管１４と、この延長管１４の先端部に着脱自在に接続された吸込口体２０とを備えている。
【００１６】
また、掃除機本体１１の内部には、前側に集塵室１５が形成され、後側にこの集塵室１５に負圧を作用させる電動送風機１６が配置されている。そして、集塵室１５内に集塵袋１７が着脱自在に装着されている。
【００１７】
手元操作管１３には操作部１３Ａが設けられており、操作部１３Ａには電動送風機１６の強弱を設定する強、弱スイッチＳａ，Ｓｂ及びオフスイッチＳｃ等とが設けられている。
【００１８】
吸込口体２０は、図２及び図３に示すように、清掃時に被清掃面と対向する底面２１Ａ（図３参照）に吸込口２２が形成された吸込室２３を有する吸込口本体２１と、吸込室２３に回転自在に配置された回転清掃体３０（図４参照）と、吸込口本体２１の後部に、前後方向に延びる軸線Ｏ回りに回転可能に取り付けられた回転管２４と、この回転管２４に上下方向に回動可能に取り付けられた接続管２５とを備えている。
【００１９】
なお、図２において、Ｖは吸込口体２０の吸込口本体２１の周囲に取り付けられたバンパー、Ｖａはこのバンパーの前端面を示している。
【００２０】
吸込口本体２１は、回転管２４を保持する本体ケース２６と、この本体ケース２６の上面に着脱可能に装着された蓋ケース２７と、蓋ケース２７に上部２８Ａが軸Ｊを介して取り付けられた前面蓋２８とを備えており、この本体ケース２６及び蓋ケース２７によって吸込室２３が形成されている。そして、本体ケース２６から蓋ケース２７を取り外すと、吸込室２３の前面と上面とが開放されて回転清掃体３０が露出する。これにより、回転清掃体３０に絡みついた糸状のゴミ（以下、糸くずという）等の除去を容易に行えると共に、回転清掃体３０の着脱が簡単に行えるようになっている。
【００２１】
前面蓋２８は、下部２８Ｂに向うにしたがって前方へ突出するように斜めに傾斜しており、下部２８ＢはバンパーＶの前端面Ｖａよりも前方に突出している。なお、この前面蓋２８の下部２８Ｂと被清掃面との間には所定の隙間が形成されており、この隙間から塵埃が吸引できるようになっている。
【００２２】
また、この前面蓋２８は、吸込口体２０を壁等に押し付けた際に、軸Ｊを中心に回動して下部２８Ｂが吸込室２３側へ引き込まれるようになっている。そして、前面蓋２８が引き込まれると、下部２８Ｂと被清掃面との間の隙間が狭くなり、この隙間から塵埃を吸引する吸引力が増加することとなる。これにより、壁際の塵埃を効率よく清掃することができる。
【００２３】
回転清掃体３０は、図示しないモータによって回転駆動されるようになっており、吸込口体２０が被清掃面上に置かれたことを検知手段（図示せず）が検知しないときには、モータの駆動が停止され、回転清掃体３０の回転が停止するようになっている。
【００２４】
そして、この回転清掃体３０は、図４（ａ）に示すように、周面に長手方向に沿って延びる複数の挿入溝３１Ａ〜３１Ｄが形成された回転軸部３１と、挿入溝３１Ａ、３１Ｃに保持される一対のブレード部材３３、３３と、挿入溝３１Ｂ、３１Ｄに保持される一対のブラシ部材４０、４０とを備えている。
【００２５】
回転軸部３１は金属によって形成されており、両端部に軸受３２Ａ、３２Ａが設けられている。また、挿入溝３１Ａ〜３１Ｄは、それぞれ等間隔をおいて螺旋状に形成され、開口の幅が内部の幅よりも狭くなっている（図４（ｂ）参照）。
【００２６】
ブレード部材３３は、挿入溝３１Ａ（３１Ｃ）内に挿入保持される帯状の基部３３Ａと、基材３３Ａから突出したリブ部３３Ｂとを有しており、この基部３３Ａとリブ部３３Ｂとは軟質樹脂によって一体に成形されている。
【００２７】
基部３３Ａは、挿入溝３１Ａ（３１Ｃ）の開口の幅よりも幅広に設定されており、この開口から抜けないようになっている。
【００２８】
一方、リブ部３３Ｂは、挿入溝３１Ａ（３１Ｃ）の開口とほぼ同等の厚みを有しており、開口から回転軸部３１の径方向に突出している。また、このリブ部３３Ｂの先端部には長手方向に延びる複数の凸条３３Ｃが形成されている。
【００２９】
ブラシ部材４０は、図５（ａ）（ｂ）に示すように、挿入溝３１Ｂ（３１Ｄ）内に挿入保持される帯状の基材４１と、基材４１に基端部が植毛されて固定された多数のブラシ毛４２とを有している。
【００３０】
基材４１は、挿入溝３１Ｂ（３１Ｄ）の開口の幅よりも幅広に設定された合成繊維で構成されてあり、開口から抜けない硬さを有している。
【００３１】
多数のブラシ毛４２は、細い毛形状に形成された合成繊維から構成され、挿入溝３１Ｂ（３１Ｄ）の開口から回転軸部３１の径方向に突出している。また、この多数のブラシ毛４２は、先端部４２Ａ近傍が糸材４３によって長手方向に沿って縫い付けられており、互いに連結されている。
【００３２】
これにより、糸材４３が多数のブラシ毛４２を連結する連結手段となり、この糸材４３によってブラシ毛４２の中間部が閉鎖されることとなる。
【００３３】
次に、上記のように構成される回転清掃体３０及びこれを備えた電気掃除機１０の動作について説明する。
【００３４】
まず、図１に示すように、掃除機本体１１のホース接続口１１ａに集塵ホース１２を接続し、この集塵ホース１２に設けられた手元操作管１３に延長管１４を介して吸込口体２０を接続する。そして手元操作管１３の操作部１３Ａの強スイッチＳａを操作すると電動送風機１６が駆動される。この電動送風機１６の駆動により、吸込口体２０の吸込口２２から空気と共に塵埃が吸引されていく。
【００３５】
この吸引された空気及び塵埃は、吸込口体２０から延長管１４、手元操作管１３、集塵ホース１２を順に介して掃除機本体１１内の集塵室１５に装着された集塵袋１７へ吸引される。そして、塵埃は集塵袋１７内に捕集され、空気が電動送風機１６へ吸引されて図示しない排気口から大気へ排出される。
【００３６】
一方、吸込口体２０の吸込室２３内では、図示しないモータによって回転清掃体３０が回転駆動され、この回転清掃体３０の回転により、ブレード部材３３及びブラシ部材４０が被清掃面上の塵埃を掻き上げていく。この掻き上げられた塵埃は吸込室２３から回転管２４、接続管２５を通って延長管１４に吸引されていく。
【００３７】
そして、糸くずを吸い込んだときには回転する回転清掃体３０に絡みつき、この回転清掃体３０によって糸くずが捕集される。
【００３８】
このとき、ブラシ部材４０は糸材４３によって多数のブラシ毛４２が互いに連結されているので、この糸材４３に糸くずが引っかかり、ブラシ毛４２の根元近傍にまで糸くずが入り込むことを防止できる。これにより、回転軸部３１に直接糸くずが巻きつくことを確実に防止できる。
【００３９】
さらに、糸材４３に引っかかった糸くずは、ブラシ毛４２の先端部４２Ａ近傍に絡みつくので、ブラシ毛４２間に入り込まず容易に除去することが可能となる。
【００４０】
また、この糸材４３がブラシ毛４２の先端部４２Ａ近傍を連結しているので、ブラシ毛４２の基端部のしなやかさが失われることがない。そのため、吸込口体２０を壁等に押し付けた際に吸込室２３側に引き込まれた前面蓋２８にブラシ部材４０が接触しても、ブラシ毛４２が基端部から容易に撓むことができ、回転軸部３１の回転を阻害することはない。
【００４１】
さらに、上述の実施の形態では、連結手段が多数のブラシ毛４２に長手方向に縫い付けられた糸材４３であるので、この連結手段である糸材４３を容易に設けることができ、製造コストの低下を図ることができる。
【００４２】
なお、連結手段は糸材４３に限られず、例えば図６に示すように、多数のブラシ毛５２に一体的に取り付けられた軟質樹脂材５３であってもよい。
【００４３】
この他の例のブラシ部材５０は、帯状の基材５１に多数のブラシ毛５２の基端部が固定され、このブラシ毛５２の先端部５２Ａ近傍に軟質樹脂材５３が取り付けられている。この軟質樹脂材５３は、多数のブラシ毛５２と連結溶着または一体的に形成されており、ブラシ毛５２間に糸くずが入り込まないようになっている。
【符号の説明】
【００４４】
３０ 回転清掃体
３１ 回転軸部
３１Ｂ、３１Ｄ 挿入溝
４１ 基材
４２ ブラシ毛
４３ 連結手段（糸材）
【図１】
2011235131.tif 000003
【図２】
2011235131.tif 000004
【図３】
2011235131.tif 000005
【図４】
2011235131.tif 000006
【図７】
2011235131.tif 000007
【図５】
2011235131.tif 000008
【図６】
2011235131.tif 000009